(57)【要約】      （修正有）【課題】複数の鞄が壁際に並べられている時でも開閉しやすい４つのジッパー・スライダを備える鞄を提供する。【解決手段】鞄の２つのシェル７と、２つのシェルの合わせ目に沿って全周に亘って延在するように設けられたジッパーのエレメントと、ジッパーのエレメント上を摺動する４つのジッパー・スライダと、を備える鞄であって、４つのジッパー・スライダは、エレメントの上止部側及び下止部側のうちの一方の側から他方の側へ向かって、エレメントの噛み合いを解除する第１のジッパー・スライダ４ａ、エレメントを噛み合わせる第２のジッパー・スライダ４ｂ、エレメントの噛み合いを解除する第３のジッパー・スライダ４ｃ、エレメントを噛み合わせる第４のジッパー・スライダ４ｄの順で、エレメント上に配置されている。【選択図】図５
0003202894.tif 000002
【実用新案登録請求の範囲】
【請求項１】
２つのシェルと、
上記２つのシェルの合わせ目に沿って全周に亘って延在するように設けられたジッパーのエレメントと、
上記ジッパーのエレメント上を摺動する４つのジッパー・スライダと、
を備える鞄であって、
上記４つのジッパー・スライダは、上記エレメントの上止部側及び下止部側のうちの一方の側から他方の側へ向かって、上記エレメントの噛み合いを解除する第１のジッパー・スライダ、上記エレメントを噛み合わせる第２のジッパー・スライダ、上記エレメントの噛み合いを解除する第３のジッパー・スライダ、上記エレメントを噛み合わせる第４のジッパー・スライダの順で、上記エレメント上に配置されていることを特徴とする、鞄。
【考案の詳細な説明】
【技術分野】
【０００１】
本考案は、複数のジッパー・スライダを備える鞄に関し、詳しくは、スーツケースやキャリーケース等の鞄の開閉に用いられるジッパー（スライド式ファスナ）のエレメント上を摺動する４つジッパー・スライダが設けられた鞄に関する。
【背景技術】
【０００２】
旅行者は、利便性に優れ、多くの荷物を収納することができるスーツケースやキャリーケースなどの鞄を使用することが多い。
【０００３】
特には、キャスタと伸縮自在のキャリーハンドルを備えるキャリーケースについては、移動の際に牽引して運ぶことができる小型のものから大型のものまで種々の寸法のキャリーケースが提供されており、日常的に使用される鞄としても用いられる。
【０００４】
海外旅行へ出かけるときや、多くの人が参加するツアー旅行などにおいては、例えば、空港のロビーで飛行機の出発時間を待つときに、各人が携帯するスーツケースやキャリーケースなどの鞄は一列に並べられて、他人の通行を妨げないように壁に寄せて置かれることが多い。
【０００５】
複数の鞄が壁際に並べられているときに、ジッパー・スライダを２つしか備えていない鞄については、鞄と壁との間に２つのジッパー・スライダが隠れた状態になって目的の鞄のジッパーを開けにくいことがある。このため、複数の鞄の列の中から目的の鞄を取り出してから、ジッパーのスライダを操作して鞄の蓋を開ける必要がある。
【先行技術文献】
【特許文献】
【０００６】
【特許文献１】特開２００２−１３６３２０号公報
【考案の概要】
【考案が解決しようとする課題】
【０００７】
従来品の鞄については、壁際などに複数の鞄を置く際の向きによっては、鞄の２つのジッパー・スライダが壁などに近接して鞄を開けることが難しくなる場合があるので、２つのジッパー・スライダの位置に気を付けて置く必要があった。
【０００８】
本考案は、複数のジッパー・スライダを備える鞄を提供することを目的とし、詳しくは、キャリーケースの全周に亘って設けられたジッパーのエレメント上を摺動する４つのジッパー・スライダを備える鞄を提供することを目的とする。
【課題を解決するための手段】
【０００９】
２つのシェルと、上記２つのシェルの合わせ目に沿って全周に亘って延在するように設けられたジッパーのエレメントと、上記ジッパーのエレメント上を摺動する４つのジッパー・スライダと、を備える鞄であって、上記４つのジッパー・スライダは、上記エレメントの上止部側及び下止部側のうちの一方の側から他方の側へ向かって、上記エレメントの噛み合いを解除する第１のジッパー・スライダ、上記エレメントを噛み合わせる第２のジッパー・スライダ、上記エレメントの噛み合いを解除する第３のジッパー・スライダ、上記エレメントを噛み合わせる第４のジッパー・スライダ、の順で、上記エレメント上に配置されていることを特徴とする、４つのジッパー・スライダを備える鞄を提供する。
【００１０】
なお、本明細書においては、４つのジッパー・スライダを有する鞄について説明するが、鞄の使用者の必要に応じて、ジッパー・スライダの数を５つ以上にする場合も考えられる。
【考案の効果】
【００１１】
本考案の鞄は、４つのジッパー・スライダを備えていることにより、鞄の使用者が鞄を開けたいときに、使用者の手元に一番近いジッパー・スライダに素早くアクセスして鞄を開けることができる。従って、撮影チャンスでカメラを急いで取り出すときなどに有効である。
【００１２】
本考案の４つのジッパー・スライダを備える鞄によれば、ジッパーのエレメントの噛み合いを解除するジッパー・スライダとエレメントを噛み合わせるジッパー・スライダとからなる一対のスライダを、鞄のシェルの互いに対向する２つの長手方向の辺に沿って延びるエレメント上に配置しておくことで、鞄のエレメントの長手方向に延びる２つの辺のうち、いずれか一方の辺が壁に近接した状態になったとしても、壁と反対側の辺に位置する他の一対のスライダを操作できる。
【図面の簡単な説明】
【００１３】
【図１】本考案の４つのジッパー・スライダを備えた鞄を示す平面図。
【図２】図１に示した４つのジッパー・スライダが操作された状態を示す平面図。
【図３】４つのジッパーが設けられた本考案の鞄を示す図。
【図４】ジッパーが閉まっているときのジッパー・スライダの位置を示す図。
【図５】ジッパーが部分的に開いているときのジッパー・スライダの位置を示す図。
【図６】複数の鞄が並置されている状態を示す図。
【図７】鞄のジッパーが南京錠を使ってロックされている状態を示す図。
【図８】（ａ）キャリーケースを縦長に開いた状態を示す図と、（ｂ）キャリーケースを横長に開いた状態を示す図。
【考案を実施するための形態】
【００１４】
本考案のジッパーが設けられている鞄について、添付の図を参照しつつ以下に説明する。
【００１５】
一実施例においては、ジッパー１の４つのスライダは、ジッパーのエレメント３の下止部２側から上止部５側へ向かって、エレメント３の噛み合いを解除するための第１のジッパー・スライダ４ａ、エレメント３を噛み合わせるための第２のスライダ４ｂ、エレメント３の噛み合いを解除するための第３のスライダ４ｃ、エレメント３を噛み合わせるための第４のスライダ４ｄ、の順で、エレメント３上に配置されている（図１参照）。図１に示される位置に各ジッパー・スライダ４ａ，４ｂ，４ｃ，４ｄがあるときには、ジッパー１が全閉の状態となっている。他の実施例においては、ジッパー１の４つのスライダは、ジッパーのエレメント３の上止部５側から下止部２側へ向かって、エレメント３の噛み合いを解除するための第１のジッパー・スライダ４ａ、エレメント３を噛み合わせるための第２のスライダ４ｂ、エレメント３の噛み合いを解除するための第３のスライダ４ｃ、エレメント３を噛み合わせるための第４のスライダ４ｄ、の順で、エレメント３上に配置されている。なお、下止部２及び上止部５は、ジッパー・スライダの摺動が行き止まりとなる部分である。
【００１６】
図２に示されるように、ジッパーのエレメント３に沿って、各々のジッパー・スライダ４ａ，４ｂ，４ｃ，４ｄを移動させることにより、鞄のシェルの全周に亘って延在するジッパー１の所望の位置のエレメント３を開閉することができる。
【００１７】
図３は、本考案の鞄を示す図である。本明細書においては、キャリーケース６を鞄として説明する。一実施例においては、キャリーケース６の２つのシェル７の合わせ目に沿って設けられたジッパー１のスライダは、下止部２側から上止部５側へ向かって、エレメント３の噛み合いを解除する第１のジッパー・スライダ４ａ、エレメント３を噛み合わせる第２のジッパー・スライダ４ｂ、エレメント３の噛み合いを解除する第３のジッパー・スライダ４ｃ、エレメント３を噛み合わせる第４のジッパー・スライダ４ｄの順で、エレメント３上に配置されている。
【００１８】
図３におけるジッパー１のエレメント３上の各スライダの位置は、ジッパーのエレメント３を全閉にする位置すなわちジッパー１を完全に閉じる位置にある。
【００１９】
図４は、ジッパーを閉じたときのスライダ位置の一例を示している。図４（ａ）は、キャリーケース６のシェル７の長手方向の互いに対向する２辺のうちの一方の辺に沿って延びるエレメント３上に、第１のジッパー・スライダ４ａと４ジッパー・スライダ４ｄが配置され、キャリーケース６のシェル７の長手方向の他方の辺に沿って延びるエレメント上に第２のジッパー・スライダ４ｂと第３のジッパー・スライダ４ｃが位置されている。図４（ｂ）においては、キャリーケース６のシェルの長手方向の互いに対向する２辺のうちの一辺に沿って延びるエレメント３上に２つのジッパー・スライダ４ａ，４ｄが配置され、天辺のエレメント３上に、他の２つのジッパー・スライダ４ｂ，４ｃが配置されている。また、図４〜図８に示されている各スライダの引手１４の部分に、孔１４ａが設けられている。
【００２０】
図５は、４つのジッパー・スライダを操作してエレメント３を開いた状態を示している。図５（ａ）は、キャリーケース６のシェル７の長手方向の互いに対向する２辺のうちの一辺に沿って延びるエレメント３上で第２のスライダ４ｂと第３のスライダ４ｃが操作されて、第２のスライダ４ｂと第３のスライダ４ｃとの間のエレメント３が開いている状態を示している。図５（ｂ）は、キャリーケース６のシェル７の長手方向の互いに対向する２辺のうちの一方の辺に沿って延びるエレメント３上の第１のジッパー・スライダ４ａ、及び第２のジッパー・スライダ４ｂと、他方の辺に沿って延びるエレメント３上の第３のジッパー・スライダ４ｃ及び第４のジッパー・スライダ４ｄがそれぞれ操作されて、第１のジッパー・スライダ４ａと第４のジッパー・スライダ４ｄとの間、並びに第２のジッパー・スライダ４ｂと第３のジッパー・スライダ４Ｃとの間のエレメント３が開いている状態を示している。
【００２１】
図６（ａ）は、例えば、団体ツアーに参加した旅行者の複数のキャリーケースが、空港のロビーの壁９に沿って並置されている状態を上方から見た図である。
図６（ｂ）は、並置されているときの本考案のキャリーケース６の正面図であり、キャリーケース６のシェル７の長手方向の互いに対向する２辺のうちの一辺に沿って延びるエレメント３上に第１のジッパー・スライダ４ａと第４のジッパー・スライダ４ｄとからなる対が配置されているとともに、キャリーケース６のシェル７の長手方向の互いに対向する２辺のうちの他の一辺に沿って延びるエレメント３上に第２のジッパー・スライダ４ｂと第３のジッパー・スライダ４ｃとからなる対が配置されている。４つのジッパー・スライダ４ａ〜４ｄが対として配置されていることで、例えば、空港のロビーで飛行機の出発時間を待っている間、キャリーケース６を開けたくなった際に、壁側とは反対側のジッパー１のエレメント３に沿って配置された第１のジッパー・スライダ４ａと第４のジッパー・スライダ４ｄを操作することにより、第１のジッパー・スライダ４ａと第４のジッパー・スライダ４ｄとの間のエレメント３の噛み合いを解除することができ、使用者は、噛み合いが解除されたエレメント３の開口からキャリーケース６内へ手を差し入れることが可能となる（図６（ｃ）参照）。
【００２２】
すなわち、本考案のキャリーケース６の一使用例として、キャリーケース６のシェル７の長手方向の互いに対向する２辺のうち一方の辺に沿って延びるエレメント３上に２つのジッパー・スライダ４ａ，４ｄを配置するとともに、キャリーケース６のシェル７の長手方向の互いに対向する２辺のうち他方の辺に沿って延びるエレメント３上に他の２つのジッパー・スライダ４ｂ，４ｃを配置しておくとよい。この配置により、壁９とは反対側に位置する２つのジッパー・スライダを操作してキャリーケース６内の物品を素早く取り出すことが可能となる。
【００２３】
図７は、使用者が自分のキャリーケース６を他人に預ける際などに、南京錠（鍵）１３を使ってジッパー１をロックした状態を示す。詳しくは、第１のジッパー・スライダ４ａ、第２のジッパー・スライダ４ｂ、第３のジッパー・スライダ４ｃ及び第４のジッパー・スライダ４ｃの引手１４に形成されている孔１４ａに、南京錠１３のアーム１３ａを通すことにより、他人によって鞄（キャリーケース６）の蓋が開けられないようにロックすることができる。なお、図７の拡大図において、ジッパー１のエレメント３の下止部と上止部が隣接している部分（隣接部８）が示されている。
【００２４】
図８は、ジッパーのエレメント３に沿って４つのジッパー・スライダ４ａ〜４ｄを移動させることにより、本考案のキャリーケース６を縦長に開いた状態（図８（ａ））と、キャリーケース６を横長に開いた状態（図８（ｂ））を示す。詳しくは、図８（ａ）においては、キャリーケース６のシェル７の長手方向の互いに対向する２つの辺のうちの一辺に沿って延びるエレメント上に４つのジッパー・スライダ４ａ〜４ｄが集められて、従来品のキャリーケースと同様の開き方をしている。図８（ｂ）においては、キャリーケースのシェル７の短手方向の２つの辺のうちの一辺に沿って延びるエレメント上に４つのジッパー・スライダ４ａ〜４ｄが集められて、従来品のキャリーケースとは異なる開き方をしている。
【００２５】
本考案の鞄は、２つのシェルの合わせ目に沿って全周に亘って延在するようにジッパーのエレメントが設けられていることにより、使用スペース等の都合に応じて、鞄を縦長に開くこともできれば横長に開くこともできるという利点がある。
【符号の説明】
【００２６】
１…ジッパー
２…下止部
３…（ジッパーの）エレメント
４ａ…第１のジッパー・スライダ
４ｂ…第２のジッパー・スライダ
４ｃ…第３のジッパー・スライダ
４ｄ…第４のジッパー・スライダ
５…上止部
６…キャリーケース
６ａ…キャスタ
７…シェル
８…隣接部
９…壁
１０…通路
１１…キャリーハンドル
１２…グリップハンドル
１３…南京錠
１３ａ…アーム
１４…引手
１４ａ…孔
【図１】
0003202894.tif 000003
【図２】
0003202894.tif 000004
【図３】
0003202894.tif 000005
【図４】
0003202894.tif 000006
【図５】
0003202894.tif 000007
【図６】
0003202894.tif 000008
【図７】
0003202894.tif 000009
【図８】
0003202894.tif 000010